(57)【特許請求の範囲】
【請求項１】
表示器（１）と、表示制御部（２）と、画像コントローラ（３）と、第１の画像信号源（５）及び第２の画像信号源（７）とを有する表示装置において、
第１の画像信号源（５）及び第２の画像信号源（７）は画像コントローラ（３）と接続されており、
計算ユニット（４）が設けられており、
該計算ユニットにはシステムクロック（ＣＬ）が供給され、
該計算ユニットは第１の画像信号源（５）と接続されており、
前記第１の画像信号源（５）は、第１の画像信号（ＲＧＢ１）を前記画像コントローラ（３）に、システムクロック（ＣＬ）を基準にして所定の位相ずれ（δφ１）で供給し、
また、前記第２の画像信号源（７）は画像コントローラ（３）に、第２の画像信号（ＲＧＢ２）をシステムクロック（ＣＬ）を基準にして所定の位相ずれ（δφ１）で供給し、
前記画像コントローラ（３）は、システムクロック（ＣＬ）に従って動作し、かつ第１の画像信号（ＲＧＢ１）又は第２の画像信号（ＲＧＢ２）を前記システムクロックを基準にしてサンプリングし、
前記画像コントローラ（３）はサンプリングされた第１の画像信号（ＲＧＢ１）又は第２の画像信号（ＲＧＢ２）を表示制御部（２）を介してシステムクロック（ＣＬ）を基準にして表示器（１）に表示し、
前記計算ユニット（４）は画像コントローラ（３）に切替信号（Ａ）を供給し、
該切替信号はシステムクロック（ＣＬ）に対して、前記の位相ずれ（δφ１）とは異なる所定の位相ずれ（δφ２）を有しており、
かつ該切替信号により、画像コントローラ（３）がどちらの画像信号（ＲＧＢ１，ＲＧＢ２）を表示器（１）に表示するかを決定する、
ことを特徴とする表示装置。
【請求項２】
前記位相ずれ（δφ１）は、表示器（１）の少なくとも１つの画像走査線に対して一定である、請求項１記載の表示装置。
【請求項３】
計算ユニット（４）はシステムクロックをサンプリング周波数でサンプリングし、
該サンプリング周波数の逆数は、システムクロックの持続時間の倍数に等しくなく、
計算ユニット（４）は位相ずれ（δφ１）をサンプリング周波数の逆数の倍数として設定する、請求項１または２記載の表示装置。
【発明の詳細な説明】
【０００１】
本発明は、表示器と表示制御部と画像コントローラと画像信号源とを有する表示装置に関する。
【０００２】
このような表示装置は、ビデオ信号またはテレビジョン信号を使用して、例えばＮＴＳＣまたはＰＡＬ規格の画像を表示するのに使用され、ここでは液晶（ＬＣＤ）が使用される。
【０００３】
ＥＰ０４８９７５７Ｂ１から、集積回路として構成された、クロック制御される表示装置のクロック制御ユニットが公知である。ここでは同じように構成された複数の集積回路が表示のそれぞれの部分に対して設けられており、符号発生器が配置されていて、この符号発生器はコードの入力後にメモリユニットから出力信号をリストアップし、これを表示する。
【０００４】
テレビジョン規格（ＮＴＳＣ、ＰＡＬ）による画像の表示の際には、表示すべき画像の表示の際に各画像走査線後に表示装置と画像源との間で同期がとられる。これにより画像走査線内で表示装置のクロック周波数と供給される画像信号の周波数との間に位相ずれが発生する。このことにより画像鮮鋭度が低下し、垂直エッジにシャドー効果が発生する。
【０００５】
本発明の課題は、画像品質を改善し、とりわけシャドー効果と画像鮮鋭度の低下を低減することである。
【０００６】
本発明の課題は、
第１の画像信号源及び第２の画像信号源は画像コントローラと接続されており、
計算ユニットが設けられており、
計算ユニットにはシステムクロックが供給され、
計算ユニットは第１の画像信号源と接続されており、
第１の画像信号源は、第１の画像信号を画像コントローラに、システムクロックを基準にして所定の位相ずれで供給し、
また、第２の画像信号源は画像コントローラに、第２の画像信号をシステムクロックを基準にして所定の位相ずれで供給し、
画像コントローラは、システムクロックに従って動作し、かつ第１の画像信号又は第２の画像信号をシステムクロックを基準にしてサンプリングし、
画像コントローラはサンプリングされた第１の画像信号又は第２の画像信号を表示制御部を介してシステムクロックを基準にして表示器に表示し、
計算ユニットは画像コントローラに切替信号を供給し、
切替信号はシステムクロックに対して、前記の位相ずれとは異なる所定の位相ずれを有しており、
かつ切替信号により、画像コントローラがどちらの画像信号を表示器に表示するかを決定することにより解決される。特に良好な画像品質は、供給される画像信号が表示装置のシステム周波数に依存して同期されるときに達成される。
【０００７】
本発明の別の有利な実施例は従属請求項に記載されている。
【０００８】
本発明を以下、図面に基づき詳細に説明する。
【０００９】
図１は、表示装置の概略図である。
【００１０】
図２は、信号経過線図である。
【００１１】
図１は、表示装置をブロックの形態で示す。この表示装置は個別構成素子からなるか、または集積回路としておよび／またはソフトウェアの形態で実現することができる。
【００１２】
図１は表示器１を示し、この表示器は例えば液晶表示器として、または真空蛍光ディスプレイ（ＶＦＤ）として、または多数の発光ダイオード（ＬＥＤ）からなるマトリクスとして構成されている。表示器１には表示制御部２が設けられており、この制御部により表示器１の個々の画素が制御される。ここで表示器１は行および列にテレビジョン画像に相応して分割されている。このために液晶表示器の場合、例えばマトリクスの形態に多数の薄膜トランジスタが配置されている。これら薄膜トランジスタは非結晶シリコンから成り、行および列制御線路を介して個別に制御することができる。カラー画像は、薄膜トランジスタを用いて赤、青、緑の画素を相応の強度で制御することにより形成され、このとき赤、青、緑の画素の色は共に１つのピクセルの色となる。
【００１３】
表示制御部２は制御線路２３を介して画像コントローラ３と接続されている。画像コントローラ３からクロック線路１０が計算ユニット４に導かれている。さらに画像コントローラ３と計算ユニット４との間に、第１および第２の同期線路１１，１２が配置されており、計算ユニット４から選択線路１３が画像コントローラ３に導かれている。
【００１４】
画像コントローラ３はさらに第３および第４の同期線路１４，１５を介してビデオ信号源７と接続されている。ビデオ信号源７からは第２の画像線路１７が画像コントローラ３に導かれている。
【００１５】
画像コントローラ３は第１の画像線路１６を介して画像発生器５に接続されている。この画像発生器には計算ユニット４から第１の制御線路１８が導かれている。さらに画像発生器５は画像メモリ８と第１のデータ線路６を介して接続されている。
【００１６】
計算ユニット４は調整装置９と接続されており、調整装置は例えばコントローラレジスタを有する。画像コントローラ３は第２の制御線路３２を介して表示制御部２と接続されている。
【００１７】
画像コントローラ３はタイマ２６を有し、タイマはサンプルホールド素子２７に対するクロック周波数を設定する。このクロック周波数により、第１および第２の画像線路１６，１７の画像信号がサンプリングされる。第１の画像線路１６のＲＧＢ１信号はサンプルホールド素子２７から選択回路２８に供給される。第２の画像線路１７のＲＧＢ２信号も第２の画像信号線路３０を介して同じように選択回路２８に供給される。計算ユニット４の選択線路１３は選択回路２８と接続されている。選択回路２８の出力側は制御線路２３に接続されている。
【００１８】
計算ユニット４はさらに制御ユニット２９と接続されており、この制御ユニットはデータ線路を介して画像メモリ８およびデータメモリ４０と接続されている。
【００１９】
以下、図１の動作を詳細に説明する。画像コントローラ３は、テレビジョン規格（ＰＡＬ、ＮＴＳＣ）の赤信号、青信号および緑信号として供給される画像信号を処理する。供給された画像信号は画像コントローラ３を基準にして同期される。このために第１の同期線路１１を介して第１の同期信号ＶＳＹ１が計算ユニット４と画像コントローラ３との間で交換される。これにより、画像コントローラ３と計算ユニット４が同時に新たな画像ページを表示ないし準備することが保証される。さらに第２の同期線路１２を介して第２の同期信号ＨＳＹ１が計算ユニット４と画像コントローラ３との間で交換される。この第２の同期信号は画像内の走査線切替の同期に用いる。このようにして、画像コントローラ３と計算ユニット４が同期して、１つの画像走査線から次の画像走査線に移行することが保証される。
【００２０】
同じ同期が画像コントローラ３とビデオ信号源７との間で実行される。この同期は、第３の同期線路１４を介して第３の同期信号ＶＳＹ２を、第４の同期線路１５を介して第４の同期信号ＨＳＹ２と交換することにより行われる。第３の同期信号ＶＳＹ２により、画像コントローラ３とビデオ信号源７とが同期して画像ページ切替するようになる。また第４の同期信号ＨＳＹ２により、画像コントローラ３とビデオ信号源７とが同期して画像内の走査線切替を実行するようになる。
【００２１】
このようにして計算ユニット４も、ビデオ信号源７も、画像コントローラ３によりテレビジョン規格、例えばＰＡＬまたはＮＴＳＣに相応して同期される。このとき、画像コントローラ３または計算ユニット４またはビデオ信号源７のいずれかが同期クロック、すなわち第１，第２，第３および第４の同期信号ＶＳＹ１，ＨＳＹ１，ＶＳＹ２，ＨＳＹ２を設定する。有利には第１と第３の同期信号、第２と第４の同期信号は等しい。すなわち、ＶＳＹｌ＝ＶＳＹ２；ＨＳＹ１＝ＨＳＹ２である。
【００２２】
計算ユニット４は制御線路１８を介して画像発生器５を次のように制御する。すなわち、この画像発生器５が第１の同期信号ＶＳＹ１，第２の同期信号ＨＳＹｌ，および画像コントローラ３のシステムクロックに依存して画像信号を、第１の画像線路１６を介して画像コントローラ３のサンプルホールド素子２７に供給するように制御する。第１の画像線路１６は、第１の画像信号ＲＧＢ１に対して、色赤に対する線路、色青に対する線路、および色緑に対する線路を有する。一方、カラー信号赤、青、緑は画像コントローラ３と表示制御部２を介して、表示器１の相応の画像ピクセルを相応の色に変換する。
【００２３】
カラー信号、赤、青、緑の設定強度に相応して、任意の色を表示器１に表示することができる。画像発生器５は、計算ユニット４により設定されたタイムクロックに相応して、カラー信号、赤、青、緑に対する情報を画像メモリ８から読み出し、カラー信号を計算ユニット４により設定されたタイムクロックに相応してサンプルホールド素子２７にさらに供給する。
【００２４】
計算ユニット４は制御ユニット２９を制御し、この制御ユニットは計算ユニット４により設定されたタイムクロックに相応して画像データをデータメモリ４０から画像メモリ８に伝送する。
【００２５】
ビデオ信号源７は、第３および第４の同期信号ＶＳＹ２，ＨＳＹ２による同期に相応してサンプルホールド素子２７に第２の画像信号ＲＧＢ２を供給する。この第２の画像信号はカラー信号、赤、青、緑を含んでいる。第２の画像線路１７は第１の画像線路１６に相応して、赤、青、緑に対する３つの線路を有している。
【００２６】
第１の画像信号ＲＧＢ１と第２の画像信号ＲＧＢ２はサンプルホールド素子２７によりサンプリングされ、第１の画像信号線路３１および第２の画像信号線路３０を介して選択回路２８に供給される。選択回路は、選択線路１３を介して供給された選択信号Ａに依存して第１の画像信号ＲＧＢ１または第２の画像信号ＲＧＢ２を表示制御部２にさらに送出する。
【００２７】
画像コントローラ３は第２の制御線路３２を介して表示制御部２に、１つの画像ピクセルから次の画像ピクセルヘの切替、１つの画像走査線から次の画像走査線への切替、および１つの画像ページから次の画像ページヘの切替を設定する。表示制御部２は、画像コントローラ３による制御に相応して相応する画像ピクセルを、画像コントローラ３から供給された画像信号（ＲＧＢ１またはＲＧＢ２）によりアドレス制御する。
【００２８】
以下図２に基づいて、本発明の装置を説明する。ここでは、第１の同期信号ＶＳＹ１と第３の同期信号ＶＳＹ２とは同じであり、垂直同期信号ＶＳＴと称され、第２の同期信号ＨＳＹ１と第４の同期信号ＨＳＹ２とは同じであり、水平同期信号ＨＳＹと称されることを前提とする。垂直および水平同期信号はこの実施例では画像発生器３により設定される。
【００２９】
図２のａは垂直同期信号ＶＳＹを示し、この信号はハイ状態からロー状態へ変化するときに画像ページ切替を設定する。図２ｂは水平同期信号ＨＳＹを示し、この信号はハイ状態からロー状態へ変化するときに走査線切替を設定する。
【００３０】
水平および垂直同期信号には画像コントローラ３，画像発生器５およびビデオ信号源７が同期する。これにより時点Ｔ１で表示制御部２は新たな画像を表示器１に表示開始し、画像発生器は新たな画像の第１の画像信号ＲＧＢ１を、ビデオ信号源７は新たな画像の第２の画像信号ＲＧＢ２を画像コントローラ３に供給する。
【００３１】
同じように時点Ｔ１で、水平同期信号ＨＳＹはハイ状態からロー状態への変化によって新たな走査線の開始を設定する。従って画像発生器５とビデオ信号源７は時点Ｔ１で、新たな画像走査線の第１のピクセルの画像信号ＲＧＢ１，ＲＧＢ２を画像コントローラ３に供給する。
【００３２】
これは図２ｃに、走査線カウンタＺＺにより象徴的に示されている。走査線カウンタＺＺは、新たな画像が開始される時点Ｔ１で、最後の画像の走査線数を表す計数状態ｘから値１に変化し、これにより新たな画像の第１の走査線を指示する。時点Ｔ４では水平同期信号ＨＳＹ（図２ｂ）により走査線切替が設定される。この時点Ｔ４で走査線カウンタＺＺは値２に変化する。
【００３３】
図２ｄは、時間軸に依存してピクセルカウンタＰＺを示す。ピクセルカウンタＰＺは、どのピクセルを時間に依存して表示器１に表示するかを表す。ピクセルカウンタＰＺは時点Ｔ１で、最後の走査線のピクセル数に相応する値ｙから値０に変化する。なぜなら、時点Ｔ１で新たな走査線および新たなピクセルが制御されるからである。走査線カウンタＺＺとピクセルカウンタＰＺは計算ユニット４に集積されている。
【００３４】
ピクセルカウンタＰＺに時間的に同期し、図２ｅに制御信号ＲＧＢＡが示されている。この信号により、相応する画像ピクセルが画像コントローラ３により制御される。画像ピクセルの持続時間の間、制御信号ＲＧＢＡは一定であり、従って制御信号ＲＧＢＡに対して階段関数が生じる。
【００３５】
図２ｆには、画像コントローラ３のシステムクロックＣＬが示されている。システムクロックＣＬは一定の周波数を有し、矩形信号を表す。システムクロックＣＬの上昇エッジと下降エッジとの間の持続時間は有利には画像ピクセルの持続時間を設定し、この時間はピクセルカウンタＰＺにより表される。システムクロックＣＬの上昇エッジまたは下降エッジは新たなピクセルの開始を表す。このピクセルは矢印により象徴的に表されており、矢印はシステムクロックＣＬのエッジからピクセルカウンタＰＺに導かれている。時点Ｔ２で、システムクロックＣＬから矢印がピクセルカウンタＰＺに導かれ、ピクセルカウンタは画像ピクセル０から画像ピクセル１への変化を設定する。
【００３６】
同じように、システムクロックＣＬの次の上昇エッジから時点Ｔ３で矢印がピクセルカウンタＰＺに導かれており、ピクセルカウンタは画像ピクセル１から画像ピクセル２への変化を設定する。システムクロックＣＬは画像コントローラ３の中のタイマ２６により設定される。これによりシステムクロックＣＬは、画像走査線内で画像ピクセルの時間特性を表示制御部２により設定する。
【００３７】
システムクロックＣＬは同じようにサンプリングクロックを設定する。このサンプリングクロックにより、第１および第２の画像信号ＲＧＢ１，ＲＧＢ２がサンプルホールド素子２７によりサンプリングされる。この実施例では、サンプリングはそれぞれシステムクロックＣＬの上昇エッジまたは下降エッジのときに行われる。このことは図２ｆとｇに矢印で示されており、これら矢印は第１の画像信号ＲＧＢ１に向けられている。
【００３８】
計算ユニット４はシステムクロックＣＬに依存して画像発生器５の出力を次のように制御する。すなわち、新たな第１の画像信号ＲＧＢ１が、システムクロックＣＬに対して所定の第１の位相関係δφ１（時間ずれ）でサンプルホールド素子２７に送出されるように制御する。
【００３９】
図２ｇ、ｈおよびｉは、第１の画像信号ＲＧＢ１に対する例を示し、ここで図２ｇにはカラー信号、赤Ｒ、図２ｈにはカラー信号、青Ｂ、図２ｉにはカラー信号、緑Ｇが示されている。カラー信号Ｒ、Ｇ、Ｂは相互に同期してそれぞれ所定の持続時間ＴＦの間、一定に保持され、続いて画像発生器５により新たな色値に適合される。この新たな色値は画像メモリ８から相応する画像ピクセルに対して読み出され、同じように再び所定の持続時間ＴＦの間、一定に保持される。このようにしてカラー信号Ｒ、Ｇ、Ｂに対してそれぞれの階段特性が得られる。
【００４０】
この実施例では、カラー信号が有利には相互に同期されている。しかし個々のカラー信号、赤、青、緑の変化を相互に時間的にずらすことも可能である。しかしこの場合はサンプリングを相応にカラー信号に対して適合し行わなければならない。
【００４１】
第１の画像信号ＲＧＢ１のカラー信号、赤、青、緑がサンプリングされる時点は、この実施例ではシステムクロックＣＬの上昇エッジまたは下降エッジにより定められる。これは矢印により示されており、矢印は図２ｇの第１の画像信号のカラー信号、赤に導かれている。
【００４２】
この実施例で選択された、システムクロックＣＬと第１の画像信号ＲＧＢ１との間の位相関係（時間ずれ）は、所定の第１の位相ずれδφ１であり、これはシステムクロックＣＬのエッジ変化と、画像発生器５から出力される第１の画像信号ＲＧＢｌの変化との間の位相ずれである。ここで画像発生器５は、画像ピクセルに対する第１の画像信号を後続の画像ピクセルに対する第１の画像信号に変化させる。この変化は、システムクロックのエッジに対する所定の位相ずれ（時間ずれ）を以て、有利には、サンプルホールド素子２７のサンプリング時点に対する所定の第１の位相ずれδφ１（時間ずれ）を以て実行する。
【００４３】
第１の画像信号ＲＧＢｌのカラー信号、赤Ｒについて、システムクロックＣＬに対する位相ずれ（時間ずれ）を見ると、図２ｇ、ｆから明らかなように、カラー信号、赤Ｒは開始時点Ｔ１で、次の画像ピクセルに対する新しい値に画像発生器５により調整され、この値が終了時点ＴＥまで維持される。これは続いて、画像発生器５により再び新たな値に調整するためであり、この新たな値もまた同じ時間だけ一定に保持される。
【００４４】
第１の画像信号ＲＧＢ１が変化される開始時点ＴＡは、システムクロックＣＬに対して第１の所定の位相ずれδφ１（時間ずれ）だけずらされている。このことはシステムクロックＣＬの上昇エッジと下降エッジに対して当てはまる。この実施例ではシステムクロックがサンプリングクロックを設定するから、この位相ずれ（時間ずれ）は、サンプルホールド素子２７が第１の画像信号をサンプリングするサンプリングクロックに対しても当てはまる。
【００４５】
次にサンプルホールド素子２７のサンプリング過程を見てみると、サンプリングはそれぞれシステムクロックＣＬの上昇エッジまたは下降エッジで行われる。これは図２ｆ、ｇに矢印で示されているのと同じであり、この矢印はシステムクロックＣＬから第１の画像信号ＲＧＢ１に導かれている。サンプリング時点ＴＡＢでサンプルホールド素子２７は、第１の画像信号ＲＧＢ１のカラー信号値、赤、青、緑をサンプリングする。サンプリングされた値は、時点Ｔ１から時点Ｔ２までの持続時間の間、画像コントローラ３および表示制御部２により表示器１に表示される。表示器１に表示された画像値は、図２ｅに画像ピクセルに分割して示されている。
【００４６】
図２ｋ、ｌ、ｍは、第２の画像信号のカラー信号、赤Ｒ、青Ｂ、緑Ｇを示す。第２の画像信号のカラー信号Ｒ、Ｇ、Ｂは第１の画像信号のカラー信号に相応して時間的に相互に同期しており、所定の持続時間の間、一定の値に保持される。これにより、カラー信号に対してそれぞれ階段関数が得られる。サンプルホールド素子２７が第２の画像信号をサンプリングするサンプリング時点は、図２ｋのカラー信号、赤Ｒの上に同じように矢印で示されている。
【００４７】
選択信号Ａが図２ｊに示されている。この信号は切換時点ＴＵまで値１を有し、切換時点ＴＵの後に値０を有する。これにより切換時点ＴＵの前では第１の画像信号ＲＧＢ１が表示器１に表示され、切換時点ＴＵの後では第２の画像信号ＲＧＢ２が表示される。切換時点ＴＵは計算ユニット４により次のように選択される。すなわち、切換時点ＴＵがシステムクロックＣＬの上昇エッジまたは下降エッジに対して、すなわちサンプリングクロックに対して所定の第２の位相ずれδφ２（第２の時間ずれ）だけずらされるように選択される。
【００４８】
図２ｅには制御信号ＲＧＢＡが示されている。この制御信号により、表示制御部２は表示器１を制御する。数字１または２により、どちらの画像信号を切換ユニット２８がさらに表示制御部２に導通するのかが示されている。切換時点ＴＵまでは第１の画像信号ＲＧＢ１が、切換時点ＴＵの後では第２の画像信号ＲＧＢ２が表示制御部２から表示器１にさらに導通される。これにより、ピクセルカウンタＰＺの数字１から７がつけられた画像ピクセルには第１の画像信号ＲＧＢ１が、ピクセルカウンタＰＺの数字８および９により示された画像ピクセルには第２の画像信号ＲＧＢ２が表示される。
【００４９】
垂直同期信号ＶＳＹは５０から６０Ｈｚの周波数を有し、水平同期信号ＨＳＹは１４から１８ｋＨｚの周波数領域を有する。計算ユニット４が画像コントローラ３のシステムクロックＣＬをサンプリングするサンプリング周波数は、４から４０ＭＨｚの領域にある。計算ユニット４は、システムクロックＣＬを周波数ｆでサンプリングする。この周波数ｆはシステムクロックＣＬの周波数よりも高く、有利にはシステムクロックＣＬの周波数の倍数に等しくない。この実施例では、システムクロックＣＬの周波数は３．２ＭＨｚであり、サンプリング周波数ｆは４０ＭＨｚである。したがって、図２ｄにピクセルカウンタＰＺにより示されたピクセルの持続時間は（１／ＣＬ）／２＝１５６μｓであり、計算ユニット４により設定された、システムクロックＣＬと第１の画像信号ＲＧＢ１の切換時点との間の第１の位相ずれδφ１はサンプリング周波数ｆの逆数の倍数に設定することができる：ｎ・（１／ｆ）＝ｎ・２５μｓ。ここで計算ユニット４のサンプリング周波数ｆは有利にはシステムクロックＣＬの周波数の倍数に等しくない。サンプリング周波数ｆがシステムクロックＣＬの周波数の倍数に等しくなければ、サンプリング周波数をほぼ等しい値に、しかしシステムクロックＣＬの周波数よりも高く選択することができる。これは、第１の位相ずれδφ１（時間ずれ）の良好な調整を計算ユニット４を介して得る場合も同様である。
【００５０】
第１の位相ずれδφ１は有利には画像走査線内では計算ユニット４により一定に保持される。第１の位相ずれδφ１（第１の時間ずれ）が画像内で一定に保持されれば非常に良好な画像品質が達成される。有利な改善実施例は、第１の画像信号のサンプリング時に、相応する画像ピクセルに対して画像メモリ８から供給された第１の画像信号を常に適時にサンプリングすることである。これにより常に正しい画像ピクセルが正しい画像信号により制御される。このようにしてエッジシフトとシャドー効果が回避される。
【００５１】
計算ユニット４は調整装置９と接続されている。調整装置は例えばコントロールレジスタを有し、これにより選択的に、第１または第２の位相ずれδφ１、δφ２（第１または第２の時間ずれ）をユーザーにより画像品質を考慮して調整することができる。第１および／または第２の位相ずれの調整により、最適の同期を表示器１での画像鮮鋭度に依存して調整することができる。
【図面の簡単な説明】
【図１】表示装置の概略図である。
【図２】信号経過線図である。
【図１】
0003902665.tif 000002
【図２】
0003902665.tif 000003